【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
アミロース分解ハイブリッドタンパク質を含んでなる洗浄剤または浄化剤であって、該アミロース分解ハイブリッドタンパク質のアミノ酸配列が、それぞれ相同位置に、１を越えるアミノ酸を含む少なくとも１つの、バシラス・アミロリクエファシエンスα-アミラーゼの部分配列と同一の部分配列を含み、かつ、それぞれ相同位置に、１を越えるアミノ酸を含む少なくとも１つの、バシラス・リケニホルミスα-アミラーゼの部分配列と同一の部分配列を含み、該ハイブリッドアミラーゼの融合点が、配列番号４の番号付与に従って、位置１７、３４、７６、１０８、１１２、１４２、１４７、１４９、１５１、１６３、１７４、１７９、１８５、１９１、１９８、２０７、２３１、２３４、２４４、２５６、２６３、２７６、４３１、８４、９９、４２９、２０１、１９、４３３および１５３の１つまたはそれ以上のところに位置することを特徴とする洗浄剤または浄化剤。
【請求項２】
ハイブリッドアミラーゼＡＬ１７、ＡＬ１０８、ＡＬ１４２、ＡＬ１４７、ＡＬ１４９、ＡＬ１５１、ＡＬ１６３、ＡＬ１７４、ＡＬ１７９、ＡＬ１８５、ＡＬ１９１、ＡＬ１９８、ＡＬ２０７、ＡＬ２３１、ＡＬ２３４、ＡＬ２４４、ＡＬ２６３、ＡＬ２７６、ＡＬ４３１、ＡＬＡ１７−１５１、ＡＬＡ７６−１５１、ＡＬＡ９９−４２９、ＡＬＡ１１２−１５１、ＡＬＡ１１２−２０１、ＬＡ１９および／またはＬＡ４３１のいずれかを含むことを特徴とする請求項１に記載の製剤。
【請求項３】
ハイブリッドアミラーゼＡＬ３４(配列番号６)、ＡＬ２５６(配列番号１２)、ＡＬＡ３４−８４(配列番号１４)および／またはＬＡＬ１９−１５３(配列番号１８)のいずれかを含むことを特徴とする請求項１に記載の製剤。
【請求項４】
ハイブリッドタンパク質が、ＡＬ７６(配列番号８)と少なくとも９８％、好ましくは９９％、特に好ましくは１００％同一であることを特徴とする請求項１に記載の製剤。
【請求項５】
ハイブリッドタンパク質が、ＡＬ１１２(配列番号１０)と少なくとも９８％、好ましくは９９％、特に好ましくは１００％同一であることを特徴とする請求項１に記載の製剤。
【請求項６】
ハイブリッドタンパク質が、ＬＡＬ１９−４３３(配列番号１６)と少なくとも９８％、好ましくは９９％、特に好ましくは１００％同一であることを特徴とする請求項１に記載の製剤。
【請求項７】
それぞれ５個以下の連続アミノ酸、好ましくはそれぞれ３個以下の連続アミノ酸、特に好ましくはそれぞれ１個のみのアミノ酸の欠失によって、あるいは、アミノ酸の置換によって得られる請求項１〜６のいずれかに記載のハイブリッドアミラーゼを含むことを特徴とする洗浄剤または浄化剤。
【請求項８】
請求項１〜７のいずれかに記載のハイブリッドアミラーゼの少なくとも１つの部分であって、アミロース分解活性を付与する部分において同一であるアミロース分解キメラタンパク質、または挿入突然変異によって得られるアミロース分解タンパク質を含むことを特徴とする洗浄剤または浄化剤。
【請求項９】
請求項１〜８のいずれかに記載のハイブリッドアミラーゼのアミロース分解誘導体を含むことを特徴とする洗浄剤または浄化剤。
【請求項１０】
０.０００００１〜５重量％、特に０.００００１〜３重量％のアミロース分解タンパク質または誘導体を含むことを特徴とする請求項１〜９のいずれかに記載の製剤。
【請求項１１】
１またはそれ以上の他のアミロース分解タンパク質、特にα-アミラーゼをさらに含むことを特徴とする請求項１〜１０のいずれかに記載の製剤。
【請求項１２】
他の酵素、特に１またはそれ以上のプロテアーゼ、リパーゼ、β-グルカナーゼおよび／またはセルラーゼをさらに含むことを特徴とする請求項１〜１１のいずれかに記載の製剤。
【請求項１３】
１を越える相を含むことを特徴とする請求項１〜１２のいずれかに記載の製剤。
【請求項１４】
固体であり、かつ、少なくとも２つの異なる固体成分、特に粉末、顆粒または押出物が、全体的にゆるやかな混合物中に存在することを特徴とする請求項１〜１３のいずれかに記載の製剤。
【請求項１５】
一緒に結合した少なくとも２つの固体相が、特に接合圧縮工程の後に存在することを特徴とする請求項１〜１４のいずれかに記載の製剤。
【請求項１６】
相の少なくとも１つがアミラーゼ感受性材料(特にデンプン)を含んでなるか、または少なくとも部分的に、該材料によって囲まれているかもしくは被覆されていることを特徴とする請求項１３〜１５のいずれかに記載の製剤。
【請求項１７】
全体として液体、ゲルまたはペースト形態にあり、存在するタンパク質および／または存在する酵素の少なくとも１つおよび／または存在する他の成分の少なくとも１つが、個々にまたは他の成分と一緒になって、封入形態中、好ましくはマイクロカプセル中、特に好ましくはアミラーゼ感受性材料から作製されたマイクロカプセル中にあることを特徴とする請求項１〜１３のいずれかに記載の製剤。
【請求項１８】
製剤の他の成分のいずれかが、アミロース分解活性を改変、特に安定化し、そして／または製剤の洗浄または浄化性能へのその寄与を増大させることを特徴とする請求項１〜１７のいずれかに記載の製剤。
【請求項１９】
工程の少なくとも１つにおいて、請求項１〜９のいずれかに記載のアミロース分解タンパク質または誘導体が活性になることを特徴とする、織物または硬表面を浄化するための方法。
【請求項２０】
工程の少なくとも１つにおいて、請求項１〜１８のいずれかに記載の製剤を使用することを特徴とする、織物または硬表面を浄化するための方法。
【請求項２１】
アミロース分解タンパク質または誘導体を、工程において、適用あたり０.０１〜４００ｍｇ、好ましくは０.０２〜２００ｍｇ、特に好ましくは０.０２〜１００ｍｇの量で使用することを特徴とする請求項１９または２０に記載の方法。
【請求項２２】
請求項１〜９のいずれかに記載のアミロース分解タンパク質または誘導体の単独の、または少なくとも１つの他の浄化活性成分もしくは浄化作用を助ける活性成分と一緒の、織物または硬表面を浄化するための使用。
【請求項２３】
織物または硬表面を浄化するための、請求項１〜１８のいずれかに記載の製剤の使用。
【請求項２４】
適用あたり、好ましくは食器洗浄機または洗浄用機械における適用あたり、０.０１〜４００ｍｇ、好ましくは０.０２〜２００ｍｇ、特に好ましくは０.０２〜１００ｍｇのアミロース分解タンパク質または誘導体を使用することを特徴とする請求項２２または２３に記載の使用。
【請求項２５】
１を越える相を含む洗浄剤または浄化剤における、請求項１〜９のいずれかに記載のアミロース分解タンパク質または誘導体の単独の、または少なくとも１つの他の浄化活性成分もしくは浄化作用を助ける活性成分と一緒の、それ自体または他の相を活性化するための使用。
【請求項２６】
封入された成分を含む洗浄剤または浄化剤における、請求項１〜９のいずれかに記載のアミロース分解タンパク質または誘導体の単独の、または少なくとも１つの他の浄化活性成分もしくは浄化作用を助ける活性成分と一緒の、カプセルから該成分を放出させるための使用。
【請求項２７】
それぞれ少なくとも１を越えるアミノ酸を含むバシラス・アミロリクエファシエンスおよびバシラス・リケニホルミス由来のα-アミラーゼの部分配列を、それぞれ相同位置において融合させて、アミロース分解活性のハイブリッドアミラーゼを得ること、該ハイブリッドアミラーゼの融合点が、配列番号４の番号付与に従って、位置１７、３４、７６、１０８、１１２、１４２、１４７、１４９、１５１、１６３、１７４、１７９、１８５、１９１、１９８、２０７、２３１、２３４、２４４、２５６、２６３、２７６、４３１、８４、９９、４２９、２０１、１９、４３３および１５３の１つまたはそれ以上のところに位置すること、ならびに、該ハイブリッドアミラーゼを製剤に添加することを特徴とする、洗浄剤または浄化剤の洗浄または浄化性能を改善するための方法。
【請求項２８】
得られたハイブリッドアミラーゼが、それぞれ５個以下の連続アミノ酸、好ましくはそれぞれ３個以下の連続アミノ酸、特に好ましくはそれぞれ１個のみのアミノ酸の、１またはそれ以上の欠失をさらに受けていることを特徴とする請求項２７に記載の方法。
【請求項２９】
得られたハイブリッドアミラーゼが、少なくとも１つの位置において、順に好ましくは、配列番号４の番号付与に従って、１３２、３２０および４１２位の１つ、２つまたは３つにおいて、アミノ酸置換をさらに受けていることを特徴とする請求項２７または２８に記載の方法。
【請求項３０】
得られたハイブリッドアミラーゼが、挿入をさらに獲得しているか、またはアミロース分解キメラタンパク質であることを特徴とする請求項２７〜２９のいずれかに記載の方法。
【請求項３１】
得られたハイブリッドアミラーゼがさらに誘導されていることを特徴とする請求項２７〜３０のいずれかに記載の方法。
【請求項３２】
ハイブリッドアミラーゼが、対応する部分領域において、配列番号１および配列番号３に示されるヌクレオチド配列またはこれらと同義のヌクレオチド配列を有する核酸を用いて形成されることを特徴とする請求項２７〜３１のいずれかに記載の方法。